(57)【要約】【課題】購入するオートバイを容易に選択することができて、オートバイ購入の利便性が高い二次元コード付き広告媒体を得る。【解決手段】多数のオートバイの情報を掲載した複数の広告ページ２を有する。各広告ページ２には、前記オートバイの情報をオートバイごとに分けてそれぞれ広告枠３に記載してあるとともに、各広告枠３をオートバイのジャンルごとにまとめて掲載してある。各広告ページ２では、各広告枠３に記載したオートバイに対応する二次元コード７を当該対応するオートバイと同一ページ内に配してある。二次元コード７には、前記対応するオートバイに関する情報のデータを含んでいる。【選択図】図１
2006058590.tif 000002
【特許請求の範囲】
【請求項１】
多数のオートバイの情報を掲載した複数の広告ページ（２）を有する広告媒体において、
各広告ページ（２）には、前記オートバイの情報をオートバイごとに分けてそれぞれ広告枠（３）に記載してあるとともに、各広告枠（３）をオートバイのジャンルごとにまとめて掲載してあり、
各広告ページ（２）では、各広告枠（３）に記載したオートバイに対応する二次元コード（７）を当該対応するオートバイと同一ページ内に配してあり、
二次元コード（７）には、前記対応するオートバイに関する情報のデータを含んでいることを特徴とする二次元コード付き広告媒体。
【請求項２】
オートバイの購入希望者の情報を含む専用ページをサーバー（１３）に形成するための登録用コードを掲載してある請求項１記載の二次元コード付き広告媒体。
【請求項３】
登録用コードが二次元コードである請求項２記載の二次元コード付き広告媒体。
【発明の詳細な説明】
【技術分野】
【０００１】
本発明は、オートバイの情報を多数掲載した広告ページを有する広告媒体に関する。
【背景技術】
【０００２】
特許文献１には、タウン誌などの広告媒体に二次元コードを掲載し、この二次元コードを携帯電話のカメラで読み取って、二次元コードに含まれる商品情報などのデータを携帯電話に記憶させて表示するものが開示されている。
【０００３】
【特許文献１】特開２００２−１１１９０９号公報（段落番号００１８−００２０、図１）
【特許文献２】特開２００４−１４０８２３号公報（段落番号００２９−００３１、図１）
【特許文献３】特開２００２−１５７１７９号公報（段落番号０００７、図１）
【特許文献４】特開２００２−２４５３３１号公報（段落番号００１２、図１）
【特許文献５】特開２００２−３１２２７０号公報（段落番号０００８−０００９、図１）
【特許文献６】特開２００３−１６２６７２号公報（段落番号００１５、図２）
【発明の開示】
【発明が解決しようとする課題】
【０００４】
商品が中古車や新車のオートバイの場合には、購入希望者は多数のオートバイの中から所望のオートバイを選択して購入するため、オートバイの選択および購入の便宜を図ることがオートバイの販売促進につながる。また、購入希望者は、オートバイの販売店に出向いて、オートバイの状態などを確認したのちに購入することになるが、広告媒体を販売店まで持ち歩くのでは、その手間が煩わしいことになる。
【０００５】
そこで本発明の目的は、中古車や新車のオートバイの選択および購入の便宜を図って、オートバイの販売促進につながる二次元コード付き広告媒体を提供することにある。
【課題を解決するための手段】
【０００６】
本発明が対象とする広告媒体は、図１に示すごとく、多数のオートバイの情報を掲載した複数の広告ページ２を有する。各広告ページ２には、前記オートバイの情報をオートバイごとに分けてそれぞれ広告枠３に記載してあるとともに、各広告枠３をオートバイのジャンルごとにまとめて掲載してある。各広告ページ２では、各広告枠３に記載したオートバイに対応する二次元コード７を当該対応するオートバイと同一ページ内に配してある。二次元コード７には、前記対応するオートバイに関する情報のデータを含んでいる。
【０００７】
ここでのオートバイには中古車および新車が含まれる。オートバイに関する情報には、オートバイの全体を写した写真５、販売価格、排気量、メーカー名、販売店名、ウェブサイトのアドレスおよび販売店でのキャンペーンなどが該当する。ジャンルとしては、ビジネス用やスポーツ用やオフロード用などの車種、メーカー、排気量、販売店あるいは販売価格帯などが該当する。二次元コード７は、広告枠３内に配される場合と、広告ページ２の下端部などの所定の位置に配される場合とが含まれる。
【０００８】
オートバイの購入希望者の情報を含む専用ページをサーバー１３に形成するための登録用コードを掲載してあってもよい。専用ページには、購入希望者が関心を示したオートバイのリストなどが記載される。具体的には、登録用コードは二次元コードである。
【発明の効果】
【０００９】
本発明によれば、広告枠３ごとに各オートバイに関する情報が記載されているために、各オートバイの情報を一目で確認でき、購入するオートバイを容易に選択することができる。そのうえで、オートバイの購入希望者は、所望のオートバイの広告枠３と同一ページ内に配されている二次元コード７を、例えばカメラ付き携帯電話９で読み取って、当該オートバイに関する情報を携帯電話９に記憶させることができる。したがって、広告媒体１を持ち歩かなくても前記携帯電話９でオートバイに関する情報をいつでも確認できて、オートバイ購入の利便性が向上する。
【００１０】
広告媒体１に、オートバイの購入希望者の専用ページを形成するための登録用コードを掲載してあると、登録用コードを、例えばカメラ付き携帯電話９で読み取ってサーバー１３に登録することで、購入希望者の専用ページが形成される。そして、購入希望者は、購入候補のオートバイを専用ページに記録しておくことで、多数のオートバイの中から購入候補のオートバイを抽出してまとめることができ、購入するオートバイをより容易に選択することができる。また、サーバー１３側では、各購入希望者の情報を得ることができるために、オートバイの販売店などに対して、各購入希望者の関心の高いオートバイの車種や価格帯などの統計を提供することができる。
【００１１】
登録用コードが二次元コードであると、掲載されていた広告媒体１のデータなどの多くのデータを登録用コードに含ませることができて、その分だけサーバー１３側では、各購入希望者からの情報をより多く得ることができる。
【発明を実施するための最良の形態】
【００１２】
図１は、本発明が対象とする二次元コード付き広告媒体を示しており、広告媒体１としては、中古オートバイの情報や記事などを掲載した月刊誌（情報誌）や無料で配布されるフリーペーパーなどが該当する。広告媒体１は、複数の広告ページ２を有しており、各広告ページ２には、多数のオートバイに関する情報をオートバイごとに分けてそれぞれ広告枠３に記載してある。
【００１３】
各広告枠３は、ジャンルごとにまとめて広告ページ２に掲載してある。ジャンルには、ビジネス用やスポーツ用などの用途に基づいた車種などが該当する。例えば車種におけるビジネス用の欄には、小型で実用的なオートバイが掲載される。
【００１４】
各広告枠３は、所定の大きさに形成されており、各広告枠３内に、図２に示すごとく、オートバイの全体を写したカラー写真５と、販売価格、排気量、メーカー名および販売店名などのオートバイに関する情報６とを記載してある。広告ページ２には、図１に示すごとく、各広告枠３に記載したオートバイに対応する二次元コード７が同一ページ内の下端部に配してある。二次元コード７は、ＱＲコード（登録商標「株式会社デンソーウェーブ」）などが該当する。なお、前記二次元コード７は各広告枠３内に配することもある。
【００１５】
二次元コード７には、オートバイの保証内容や修理内容、販売店の所在地や電話番号などのオートバイに関する情報、広告媒体１の出版社などが開設した携帯電話用のウェブサイトのアドレス（ＵＲＬ）および販売店でのキャンペーン情報などのデータが含まれている。二次元コード７は、カメラ付き携帯電話９（図３）で読み取り可能になっており、携帯電話９は、カメラ９ａで読み取った二次元コード７から前記データを注出してメモリに記憶する。前記データは携帯電話９の画面１０に表示される。携帯電話９は、前記読み取ったアドレスに基づいて前記ウェブサイトへアクセス可能になっている。
【００１６】
携帯電話用のウェブサイトには、オートバイの車種や販売店名などから所望のオートバイを検索するためのホームページや、オートバイの販売店のリストを載せたページや、オートバイの車種別のリストを載せたページや、オートバイのメーカー別のリストを載せたページなどが含まれている。前記販売店のリストのページは、販売店ごとに分けて作成したページにリンクしている。
【００１７】
携帯電話用のウェブサイトは、前記月刊誌およびフリーペーパーの出版を管理する出版社などの管理部によって作成される。つまり、オートバイの販売店が、前記管理部に対して前記月刊誌やフリーペーパーへのオートバイの広告の掲載を発注することに応じて、管理部は、前記月刊誌やフリーペーパーへ当該販売店のオートバイの広告を掲載し、かつ前記月刊誌などに掲載したオートバイに、さらに当該販売店のオートバイを所定台数だけ追加して当該販売店のページに掲載する。
【００１８】
販売店のページには、当該販売店で販売するオートバイごとにメーカー名、車種および価格などを記載したリストを掲載してあり、このオートバイのリストが携帯電話９の画面１０に表示される。オートバイのリストからいずれかのオートバイを選択することで、当該オートバイの詳細情報を掲載したページにアクセスされる。
【００１９】
各オートバイの詳細情報のページには、図３に示すごとく、オートバイの全体を写したカラー写真１１と、メーカー名、車種、価格および販売店名などの詳細情報１２とが掲載されており、カラー写真１１と詳細情報１２とが、携帯電話９の画面１０に表示される。なお、前述のオートバイの車種別のリストを載せたページや、オートバイのメーカー別のリストを載せたページなどで、いずれかのオートバイを選択した場合にも前記詳細情報のページにアクセス可能になっている。
【００２０】
前記月刊誌などの適所には、オートバイの購入希望者の専用ページを作成するための登録用コードが掲載されている。登録用コードは二次元コードなどからなり、前記購入希望者の専用ページは、図４に示すサーバー１３に登録される。サーバー１３は、管理部などに設置されており、汎用コンピュータなどからなる。
【００２１】
サーバー１３は、インターネット１５を介して携帯電話９などと通信可能になっており、インターネット１５に接続された通信部１６と、メモリ１７と、ディスプレイなどからなる出力部１９と、キーボードやマウスなどからなる入力部２０と、通信部１６やメモリ１７などを制御する制御部２１とを含んでいる。なお、サーバー１３は、前記携帯電話用のウェブサイトの管理なども行っている。
【００２２】
前記購入希望者の専用ページを作成する際には、前記登録用コードを携帯電話９のカメラ９ａで読み取って、当該携帯電話９からサーバー１３に携帯電話９のメールアドレスのみを含む空メールを送付する。すると、サーバー１３は、登録用のフォームを含むメールを携帯電話９に送信する。前記フォームは、購入希望者の名前、購入希望者の住む地域の情報（郵便番号など）および購入を希望するオートバイの車種などの購入希望者に関する情報を入力するためのものであり、購入希望者は、携帯電話９を用いてこれらを入力したのちにサーバー１３に返信する。
【００２３】
サーバー１３は、前記携帯電話９から送られてきた購入希望者に関する情報を記憶するとともに、当該購入希望者の専用ページを生成して、そのページのアドレスを前記携帯電話９に送信する。前記携帯電話９は購入希望者の専用ページのアドレスを記憶する。
【００２４】
購入希望者が、携帯電話９を用いて前記オートバイのリストからいずれかの購入候補のオートバイを選択して、オートバイの詳細情報を掲載したページにアクセスしたのちに登録操作を行うことで、当該オートバイが購入希望者の専用ページに記録される。購入希望者は、携帯電話９で自己の購入希望者の専用ページにアクセスして、前記記録したオートバイのリストを携帯電話９の画面１０に表示できるようになっている。
【００２５】
なお、購入希望者の専用ページが登録されていない状態で、購入希望者が、携帯電話９でオートバイの詳細情報のページにおいて登録操作を行うと、サーバー１３から登録用のフォームを含むメールが携帯電話に送付される。そして、購入希望者が、携帯電話９で購入希望者に関する情報を入力してサーバー１３に返信することで、購入希望者の専用ページが生成され、そのページのアドレスが携帯電話９に送信されて記憶されるとともに、オートバイの詳細情報が購入希望者の専用ページに記録される。
【００２６】
サーバー１３は、各購入希望者の専用ページに記録されたオートバイのデータから、各購入希望者の関心の高いオートバイの車種や価格帯などの統計をとり、必要に応じて前記統計を販売店などに提供する。
【００２７】
サーバー１３は、オートバイに関する記事や、販売店などでのイベントやキャンペーンの情報などを携帯電話９に適宜送信する。購入希望者の専用ページに記録したオートバイは、所定期間が経過すると消去される。サーバー１３は、パーソナルコンピュータ２２などからアクセス可能なウェブサイトを生成しており、このウェブサイトでオートバイの検索などを可能にしている。なお、前記月刊誌やフリーペーパーなどに掲載されるオートバイは、新車のオートバイであってもよい。
【００２８】
前記広告媒体１の利用例を説明すると、中古オートバイなどの情報専門の月刊誌に広告ページ２を設け、各広告ページ２に、車種ごとにまとめた中古オートバイの広告枠３と、各中古オートバイに対応する二次元コード７とをそれぞれ配する。また、フリーペーパーに、前記月刊誌に掲載した中古オートバイの中から選択した中古オートバイの広告枠３を車種ごとにまとめて掲載するとともに、各中古オートバイに対応する二次元コード７を配する。
【００２９】
そして、前記管理部は、前記月刊誌やフリーペーパーに掲載したオートバイを購入した者に対して、ガソリンの満タン補助券を無料で提供する。つまり、購入希望者は、例えば前記月刊誌を購入し、前述のように広告ページ２の二次元コード７をカメラ付き携帯電話９で読み取るなどを行ったのちに、購入希望のオートバイを選択して販売店で購入する。この後、購入希望者は、月刊誌の広告ページ２から購入したオートバイの広告枠３を切り抜いて管理部に送付する。すると、管理部は、販売店に当該オートバイの購買を確認したのちに購入者（購入希望者）に満タン補助券を提供する。
【００３０】
このように、管理部が、前記月刊誌を購入してオートバイを購入した者に満タン補助券を無料で提供するので、前記月刊誌の購入意欲が促進されて前記月刊誌の販売促進の効果が得られるとともに、前記月刊誌に広告を出した販売店でのオートバイの販売促進の効果が得られることになる。
【図面の簡単な説明】
【００３１】
【図１】本発明にかかる広告媒体の斜視図
【図２】広告枠を示す平面図
【図３】カメラ付き携帯電話の平面図
【図４】本発明にかかるシステムのブロック構成図
【符号の説明】
【００３２】
１  広告媒体
２  広告ページ
３  広告枠
７  二次元コード
９  カメラ付き携帯電話
１３  サーバー
【図１】
2006058590.tif 000003
【図２】
2006058590.tif 000004
【図３】
2006058590.tif 000005
【図４】
2006058590.tif 000006